(57)【要約】      （修正有）【課題】僅かな溜り水でも、又ホース内に残った水も排水可能とし、該ホース内の水の逆流を防止する水中ポンプ装置を提供する。【解決手段】吸水空間を形成する円盤状の吸水部２と、該吸水部に一端が接続されたホース３と、基端側が二股に分岐し、分岐した一方が前記ホースの他端に接続されると共に、分岐した他方が圧縮空気供給手段に接続されたエジェクタ部５とを具備し、該エジェクタ部は分岐部にノズル部が内嵌されると共に、該ノズル部の周囲に空隙が形成され、前記ノズル部は圧縮空気供給手段と連通し、前記ホースは前記空隙と連通し、圧縮空気を供給することで前記空隙を介して前記ホース内が負圧となり、前記吸水部が溜り水を吸上げる。【選択図】図１
2012233447.tif 000002
【特許請求の範囲】
【請求項１】
吸水空間を形成する円盤状の吸水部と、該吸水部に一端が接続されたホースと、基端側が二股に分岐し、分岐した一方が前記ホースの他端に接続されると共に、分岐した他方が圧縮空気供給手段に接続されたエジェクタ部とを具備し、該エジェクタ部は分岐部にノズル部が内嵌されると共に、該ノズル部の周囲に空隙が形成され、前記ノズル部は圧縮空気供給手段と連通し、前記ホースは前記空隙と連通し、圧縮空気を供給することで前記空隙を介して前記ホース内が負圧となり、前記吸水部が溜り水を吸上げることを特徴とする水中ポンプ装置。
【発明の詳細な説明】
【技術分野】
【０００１】
本発明は、床面等に残った低水位の溜り水を排水する水中ポンプ装置に関するものである。
【背景技術】
【０００２】
従来の水中ポンプは電動式であり、下端に設けられた環状の弾性部材と、該弾性部材の内部に設けられたインペラと、該インペラを回転させるモータとを有している。
【０００３】
床面に残った溜り水を排水する際には、弾性部材の下端を床面に圧接させた後、モータによりインペラを回転させ、弾性部材の内部を負圧とすることで溜り水を吸上げ、排水口に接続されたホース等を介して外部に排水する様になっている。
【０００４】
然し乍ら、従来の水中ポンプの場合、水中ポンプの下部に設けられたインペラにより弾性部材の内部を負圧とし、溜り水を吸上げる構造の為、床面に溜り水がなくなった後は、インペラ上方の水中ポンプ内、及び排水口に接続されたホース内に残った水を外部に排出することができず、水中ポンプ停止後には水中ポンプ内、ホース内の水が逆流していた。
【０００５】
又、従来の水中ポンプは電動式であり、インペラを回転する為のモータが必須である為、装置が大型化し、コストが高くなるという問題があった。
【０００６】
尚、ハウジング体の下端より僅かに突出した環状スカート部材と、水中ポンプが設置されるポンプ接地面との間に逆流防止構造の環状吸込口を設け、該環状吸込口をポンプ接地面に弾接させた状態で、モータによりインペラを回転させることで残水を吸上げる水中ポンプとして、特許文献１に示されるものがある。
【先行技術文献】
【特許文献】
【０００７】
【特許文献１】特開平１１−３３６６９０号公報
【発明の概要】
【発明が解決しようとする課題】
【０００８】
本発明は斯かる実情に鑑み、僅かな溜り水でも、又ホース内に残った水も排水可能とし、該ホース内の水の逆流を防止する水中ポンプ装置を提供するものである。
【課題を解決するための手段】
【０００９】
本発明は、吸水空間を形成する円盤状の吸水部と、該吸水部に一端が接続されたホースと、基端側が二股に分岐し、分岐した一方が前記ホースの他端に接続されると共に、分岐した他方が圧縮空気供給手段に接続されたエジェクタ部とを具備し、該エジェクタ部は分岐部にノズル部が内嵌されると共に、該ノズル部の周囲に空隙が形成され、前記ノズル部は圧縮空気供給手段と連通し、前記ホースは前記空隙と連通し、圧縮空気を供給することで前記空隙を介して前記ホース内が負圧となり、前記吸水部が溜り水を吸上げる水中ポンプ装置に係るものである。
【発明の効果】
【００１０】
本発明によれば、吸水空間を形成する円盤状の吸水部と、該吸水部に一端が接続されたホースと、基端側が二股に分岐し、分岐した一方が前記ホースの他端に接続されると共に、分岐した他方が圧縮空気供給手段に接続されたエジェクタ部とを具備し、該エジェクタ部は分岐部にノズル部が内嵌されると共に、該ノズル部の周囲に空隙が形成され、前記ノズル部は圧縮空気供給手段と連通し、前記ホースは前記空隙と連通し、圧縮空気を供給することで前記空隙を介して前記ホース内が負圧となり、前記吸水部が溜り水を吸上げるので、装置自体に電源やモータを必要とせず、小型化及びコストの低減が図れると共に、前記吸水部が溜り水を全て吸上げた後も、前記ホース内の水が逆流することがないという優れた効果を発揮する。
【図面の簡単な説明】
【００１１】
【図１】本発明の実施例に係る水中ポンプ装置の概略を示す構成図である。
【図２】本発明の実施例に係る吸水部の正断面図である。
【図３】本発明の実施例に係るエジェクタ部の正断面図である。
【発明を実施するための形態】
【００１２】
以下、図面を参照しつつ本発明の実施例を説明する。
【００１３】
先ず、図１に於いて、本発明の実施例に係る水中ポンプ装置１の概略について説明する。
【００１４】
該水中ポンプ装置１は、所定の径、例えば径が１５ｃｍ程度の円盤状で金属製の吸水部２と、該吸水部２に一端が接続されたホース３と、該ホース３を巻取り可能なドラム４と、該ドラム４を介し前記ホース３の他端と圧縮空気供給源（図示せず）に接続された金属製のエジェクタ部５により構成されている。
【００１５】
図２に於いて、前記吸水部２の詳細について説明する。
【００１６】
該吸水部２は、リング状の円板である底板６と、該底板６よりも小径であり、該底板６の上面に同心に設けられた小円板７と、該小円板７の上面中心に突設された継手部８と、該継手部８に該継手部８の軸心と直交する方向に突出するパイプ状のホース接続口９とで構成されている。
【００１７】
前記底板６は、中心部を貫通する円形の孔１０が穿設され、該孔１０により吸水口１１が形成される。又、前記底板６下面には、前記孔１０の周縁が切除され円形の段差部１２が形成され、該段差部１２にフィルタ部材１３が嵌設され、溶接されている。該フィルタ部材１３は、ワイヤ等を所定間隔、例えば５ｍｍ間隔でメッシュ状に編込むことで形成される。
【００１８】
前記小円板７の下面には、前記孔１０と同心で同径の円形の凹部１４が形成されると共に、該凹部１４の中心を貫通する円形の孔１５が穿設されており、前記小円板７の中心と前記底板６の中心とが一致した状態で、前記小円板７が前記底板６上に溶接されている。
【００１９】
前記継手部８の中心部には、前記孔１５より小径の盲孔である穴１６が下方から穿設されると共に、外径が前記孔１５と略同径な嵌合い部１７が形成される様下端が細径に形成されており、該嵌合い部１７を前記孔１５に嵌入した状態で、前記小円板７と継手部８とが溶接されている。
【００２０】
前記孔１０、前記凹部１４、前記穴１６はそれぞれ連通しており、前記孔１０、前記凹部１４、前記穴１６とで凸字状の吸水空間１８が形成される。
【００２１】
又、前記継手部８には、前記ホース接続口９の外径よりも小径で、前記吸水空間１８と連通する孔である排水口１９が前記継手部８と直角に穿設されている。前記ホース接続口９の一端部には細径部２１が形成され、該細径部２１を前記排水口１９に嵌入した状態で、前記継手部８と前記ホース接続口９とが溶接されている。或は前記排水口１９と前記細径部２１は螺子込み式でもよい。又、前記ホース接続口９の他端部は周面に凹凸が形成され抜止め部２２となっている。該抜止め部２２が前記ホース３の一端に挿入されることで、前記吸水部２と前記ホース３とが接続される様になっている。
【００２２】
次に、図３に於いて、前記エジェクタ部５の詳細について説明する。尚、以下の説明では、気体及び液体の流れに対して上流側を基端側、下流側を先端側としている。
【００２３】
該エジェクタ部５はジェット流形成管２３と、該ジェット流形成管２３より分岐した吸水管２４とで構成され、二股形状となっている。又、前記ジェット流形成管２３は中空の管体であり、工場エア等の図示しない圧縮空気供給手段より圧縮空気が供給される圧縮空気供給部２５と、前記吸水管２４からの溜り水及び圧縮空気が混合された混合流を噴出するディフューザ部２６からなっている。
【００２４】
前記圧縮空気供給部２５の内部には圧縮空気流路２７が形成され、前記ディフューザ部２６の内部には混合流流路２８が形成され、該混合流流路２８は先端に向って漸次拡径する様になっている。該混合流流路２８の基端の径は前記圧縮空気流路２７の径よりも小さくなっており、該圧縮空気流路２７と前記混合流流路２８とは境界で急激に径が小さくなる不連続な状態で連通している。
【００２５】
又、前記圧縮空気流路２７の先端部は、前記吸水管２４が分岐する分岐部となっており、該分岐部には先端に向って縮径するテーパ形状のノズル部２９が内嵌されている。該ノズル部２９の基端側周面が前記圧縮空気流路２７の内周面に段差なく連続すると共に、前記ノズル部２９の先端の外径は前記圧縮空気流路２７の内径より小さくなっており、前記ノズル部２９の外周面と前記圧縮空気流路２７の内周面との間には空隙３１が画成される。又、前記ノズル部２９の先端の内径は、前記混合流流路２８の基端の内径と等しくなっており、前記ノズル部２９の先端面と前記混合流流路２８の基端とは僅かな隙間３０が形成されている。
【００２６】
前記圧縮空気供給部２５の基端部近傍にはバルブ３２が設けられ、該バルブ３２により前記圧縮空気流路２７に供給される圧縮空気の圧力が調整される様になっている。
【００２７】
又、前記吸水管２４は湾曲部を有するＬ字状の管体であり、該吸水管２４の内部に吸水流路３３が形成される。該吸水流路３３は先端部に流路径が拡径された太径部３４が形成されており、該太径部３４に逆流防止部材である球状のフロート３５が収納されている。尚、該フロート３５の径は、前記太径部３４よりも小さく、前記吸水流路３３よりも大きくなっている。
【００２８】
前記吸水管２４の基端部の外周面は凹凸が形成された抜止め部３６となっている。該抜止め部３６が前記ホース３の他端部に挿入されることで、該ホース３と前記吸水管２４とが接続される。又、前記吸水管２４の先端は前記圧縮空気供給部２５の先端部に直角に溶接され、前記太径部３４と前記空隙３１とが連通する様になっている。
【００２９】
次に、本実施例に於ける前記水中ポンプ装置１を用いて溜り水の排水を行う場合について説明する。溜り水の排水を行う際には、先ず前記吸水口１１が溜り水に浸かる様前記吸水部２を設置し、前記バルブ３２を開とした後に、前記圧縮空気供給部２５の基端に接続された圧縮空気供給手段（図示せず）より圧縮空気を供給する。
【００３０】
前記圧縮空気流路２７に供給された圧縮空気は、前記ノズル部２９を通過する際に更に圧縮される。該ノズル部２９を通過することで空気が圧縮されて増速した状態で前記混合流流路２８に流入する。該混合流流路２８を流れる過程で膨張しつつ流速が増大した状態で前記混合流流路２８より流出する。
【００３１】
供給された空気は、前記ノズル部２９を通過することで急激に流速が増大し、更に前記混合流流路２８を流れる過程で膨張するので、流通する空気の静圧が急激に低下し、前記空隙３１が負圧となる。該空隙３１が負圧となることで、前記太径部３４、前記吸水流路３３、ホース３内、前記吸水空間１８が負圧となる。
【００３２】
該吸水空間１８が負圧となることで、前記吸水部２は前記吸水口１１より溜り水を吸上げる。この時、該吸水口１１には前記フィルタ部材１３が設けられているので、メッシュの間隔、例えば５ｍｍ以上の石等を溜り水と一緒に吸上げない様になっている。
【００３３】
吸上げられた溜り水は前記吸水空間１８、前記ホース３、前記吸水流路３３、前記太径部３４を通って前記空隙３１へと吸引された後、圧縮空気と共に前記混合流流路２８を流出し、前記ディフューザ部２６の先端より噴出され、排水される。尚、該ディフューザ部２６の先端にホースを接続し、該ホースを介して所望の場所に溜り水を排水する様にしてもよい。
【００３４】
本実施例では、圧縮空気を前記ノズル部２９より急激に噴出することで前記エジェクタ部５内の前記空隙３１を負圧とし、それに伴い前記太径部３４、前記吸水流路３３、前記ホース３、前記吸水空間１８を負圧とするので、前記吸水部２から吸水される溜り水がなくなった後も前記吸水空間１８、前記ホース３、前記吸水流路３３、前記太径部３４内の水を前記空隙３１まで吸引することができ、排水後に前記ホース３等に水が残り、逆流するのを防止することができる。
【００３５】
又、排水の途中で圧縮空気の供給を停止した場合、前記空隙３１が常圧へと復帰し、それに伴い前記太径部３４、前記吸水流路３３、前記ホース３、前記吸水空間１８内の水が逆流しようとするが、前記太径部３４に収納された前記フロート３５が、水の逆流に伴い前記太径部３４の基端へと移動し、前記吸水流路３３の先端を閉塞するので、該吸水流路３３、前記ホース３、前記吸水空間１８内の水が逆流し、前記吸水口１１より排出されるのを防止することができる。
【００３６】
又、本実施例では、圧縮空気供給手段として、工場に常備される工場エア等が使用可能であるので、前記水中ポンプ装置１自体に電源やモータを必要とせず、該水中ポンプ装置１を小型化することができ、小さな水溜り等を排水する場合にも本実施例の前記水中ポンプ装置１を容易に適用できる。更に、該水中ポンプ装置１の小型化に伴い、コストの低減を図ることができる。
【００３７】
又、前記吸水部２、前記エジェクタ部５共に、可動部を有さない金属製の部材であり、簡易な構造であるので、製作が容易であり、高い耐久性を持たせることができる。
【００３８】
更に、前記吸水部２には前記吸水口１１に前記フィルタ部材１３を設け、所定の大きさ以上の固形物を溜り水と共に吸上げない様になっているので、前記水中ポンプ装置１は建造物等の床面に溜った溜り水だけではなく、地面を掘削してできた穴に溜った泥水等を排水する際にも適用することができる。
【符号の説明】
【００３９】
１              水中ポンプ装置
２              吸水部
３              ホース
５              エジェクタ部
１１            吸水口
１３            フィルタ部材
１８            吸水空間
２３            ジェット流形成管
２４            吸水管
２７            圧縮空気流路
２８            混合流流路
２９            ノズル部
３１            空隙
３３            吸水流路
【図１】
2012233447.tif 000003
【図２】
2012233447.tif 000004
【図３】
2012233447.tif 000005